(57)【特許請求の範囲】
【請求項１】
装置本体と、
画像を表示する表示面を備えた表示ユニットと、
前記装置本体の後側から見て中心となる収納位置から左方向及び右方向に前記表示ユニットを回転可能に支持する第１の軸受部と、前記左方向及び前記右方向に前記表示ユニットを回転させた状態で前記表示面が前記装置本体の前側及び後側に向くように前記表示ユニットを回転可能に支持する第２の軸受部とを備える２軸ヒンジと、
前記表示ユニットの前記左方向への回転を検出する第１の回転検出スイッチと、前記右方向への回転を検出する第２の回転検出スイッチとを備え、前記第１の軸受部による前記表示ユニットの前記右方向及び前記左方向への回転を検出する第１軸用回転検出部と、
発光部と受光部とを備える回転検出センサと、前記発光部と前記受光部との間において前記第２の軸受部とともに回転し、回転位置により透過率が異なる透明フィルムとを備え、前記回転検出センサにより前記透明フィルムを透過する光量を検出することにより前記表示ユニットを前記左方向又は前記右方向に回転させた状態での前記第２の軸受部による前記表示ユニットの前記表示面を前記前側又は前記後側に向ける回転を検出する第２軸用回転検出部と、
前記第１軸用回転検出部、及び前記第２軸用回転検出部の検出結果に基づいて、前記表示ユニットの前記表示面に表示される画像の表示方向を切り替える制御手段と、を備え、
前記制御手段は、
前記第１軸用回転検出部の前記第１の回転検出スイッチにより前記表示ユニットが前記左方向に回転したことが検出された場合と、前記第１軸用回転検出部の前記第２の回転検出スイッチにより前記右方向に回転したことが検出された場合とで、前記表示ユニットの前記表示面に表示される画像の表示方向を切り替えるように制御し、
前記第１軸用回転検出部の前記第１の回転検出スイッチにより前記表示ユニットが前記左方向に回転したことが検出された状態で、前記第２軸用回転検出部の前記回転検出センサにより前記表示ユニットが前記表示面を前記前側へ向けるよう回転したことが検出された場合と、前記第１軸用回転検出部の前記第２の回転検出スイッチにより前記表示ユニットが前記右方向に回転したことが検出された状態で、前記第２軸用回転検出部の前記回転検出センサにより前記表示ユニットが前記表示面を前記後側に向けるよう回転したことが検出された場合とで、前記表示ユニットの前記表示面に表示される画像の表示方向を切り替えるように制御することを特徴とする撮像装置。
【請求項２】
前記透明フィルムは、前記表示ユニットが前記右方向に回転した状態で前記表示面を前記前側又は前記後側に向ける回転を前記回転検出センサに検出させるための第１の着色部と、前記表示ユニットが前記左方向に回転した状態で前記表示面を前記前側又は前記後側に向ける回転を前記回転検出センサに検出させるための前記第１の着色部とは透過率が異なる第２の着色部とを有することを特徴とする請求項１に記載の撮像装置。
【請求項３】
前記回転検出センサは、第１の回転検出センサ及び第２の回転検出センサからなり、
前記透明フィルムは、第１の透明フィルム及び第２の透明フィルムからなり、
前記第２軸用回転検出部は、前記表示ユニットが前記右方向へ回転した状態で前記表示面を前記前側又は前記後側に向ける回転を前記第１の回転検出センサ及び前記第１の透明フィルムを用いて検出し、前記表示ユニットが前記左方向へ回転した状態で前記表示面を前記前側又は前記後側に向ける回転を前記第２の回転検出センサ及び前記第２の透明フィルムを用いて検出することを特徴とする請求項１に記載の撮像装置。
【発明の詳細な説明】
【技術分野】
【０００１】
本発明は、例えば、デジタルスチルカメラやデジタルビデオカメラ等の撮像装置に関する。
【背景技術】
【０００２】
デジタルスチルカメラやデジタルビデオカメラ等の撮像装置では、装置本体に対して表示ユニットが２軸ヒンジ装置を介して開閉可能に、かつ開状態で回転可能に支持されるものがある。図３１〜図３３に、従来のこの種のデジタルビデオカメラの一例を示す（特許文献１）。
【０００３】
このデジタルビデオカメラは、図３１及び図３２に示すように、カメラ本体１の前側上面部に、表示ユニット２が２軸ヒンジ装置３の回転軸Ｘを介して撮影者側から見て左方向に略１８０°の角度で回動可能に支持されている。
【０００４】
表示ユニット２は、回動角度が略１８０°の全開状態（図３２）で表示面２ａが上を向き、回動角度が０°の全閉状態（図３１）で表示面２ａがカメラ本体１の前側上面部に対向して収納される。また、表示ユニット２は、図３２に示す全開状態で、２軸ヒンジ装置３の回転軸Ｘと直交する回転軸Ｙを介して回転可能とされている。
【０００５】
そして、表示ユニット２を、図３２に示す全開状態から回転軸Ｙを介して撮影者側に略９０°回転させると、図３３に示すように、表示面２ａが撮影者側を向き、通常の撮影状態となる。
【０００６】
また、表示ユニット２を、図３３に示す状態から回転軸Ｙを介して被写体側に略１８０°回転させると、表示面２ａが被写体側を向き、撮影者自身を撮影可能な状態となる。表示面２ａが被写体側を向くように表示ユニット２を回転させる際には、回転軸Ｙの位相を検知する不図示の切替えスイッチが作動して、所定の位相で表示面２ａの画像が自動的に反転する。
【先行技術文献】
【特許文献】
【０００７】
【特許文献１】特開２００５−２１０６７７号公報
【発明の概要】
【発明が解決しようとする課題】
【０００８】
上記特許文献１では、カメラ本体１に対して表示ユニット２が撮影者側から見て左方向のみに回動可能とされているため、撮影者側から見て右側からの表示面２ａの視認性が悪く、また、撮影者側から見て左側に撮影を妨げる物が存在する場合、操作性を損なう。このような問題を解消するためには、カメラ本体１に対して表示ユニット２を撮影者側から見て左方向及び右方向の両方向に回動可能に支持することが考えられる。
【０００９】
しかし、これでは、表示ユニット２を撮影者側から見て右方向に回動させた場合、表示面２ａに表示される画像が上下に逆転した画像となる。
【００１０】
また、表示ユニット２を撮影者側から見て左方向に回動させた場合と右方向に回動させた場合とで、表示面２ａが被写体側を向くように回転軸Ｙを介して回転させた際の、切替えスイッチが作動する位相、即ち表示面２ａの画像が自動的に反転する位相が異なる。このため、表示ユニット２を撮影者側から見て左方向に回動させた場合と右方向に回動させた場合とで、操作感が変化してしまう。
【００１１】
そこで、本発明は、表示ユニットを装置本体の収納位置から左方向及び右方向のいずれに回動操作した場合でも、表示ユニットを前側及び後側に向くように回転操作できると共に、表示ユニットの表示面側から見た場合に常に正立の画像を表示面に表示することができる撮像装置を提供することを目的とする。
【課題を解決するための手段】
【００１２】
上記目的を達成するために、本発明の撮像装置は、装置本体と、画像を表示する表示面を備えた表示ユニットと、前記装置本体の後側から見て中心となる収納位置から左方向及び右方向に前記表示ユニットを回転可能に支持する第１の軸受部と、前記左方向及び前記右方向に前記表示ユニットを回転させた状態で前記表示面が前記装置本体の前側及び後側に向くように前記表示ユニットを回転可能に支持する第２の軸受部とを備える２軸ヒンジと、前記表示ユニットの前記左方向への回転を検出する第１の回転検出スイッチと、前記右方向への回転を検出する第２の回転検出スイッチとを備え、前記第１の軸受部による前記表示ユニットの前記右方向及び前記左方向への回転を検出する第１軸用回転検出部と、発光部と受光部とを備える回転検出センサと、前記発光部と前記受光部との間において前記第２の軸受部とともに回転し、回転位置により透過率が異なる透明フィルムとを備え、前記回転検出センサにより前記透明フィルムを透過する光量を検出することにより前記表示ユニットを前記左方向又は前記右方向に回転させた状態での前記第２の軸受部による前記表示ユニットの前記表示面を前記前側又は前記後側に向ける回転を検出する第２軸用回転検出部と、前記第１軸用回転検出部、及び前記第２軸用回転検出部の検出結果に基づいて、前記表示ユニットの前記表示面に表示される画像の表示方向を切り替える制御手段と、を備え、前記制御手段は、前記第１軸用回転検出部の前記第１の回転検出スイッチにより前記表示ユニットが前記左方向に回転したことが検出された場合と、前記第１軸用回転検出部の前記第２の回転検出スイッチにより前記右方向に回転したことが検出された場合とで、前記表示ユニットの前記表示面に表示される画像の表示方向を切り替えるように制御し、前記第１軸用回転検出部の前記第１の回転検出スイッチにより前記表示ユニットが前記左方向に回転したことが検出された状態で、前記第２軸用回転検出部の前記回転検出センサにより前記表示ユニットが前記表示面を前記前側へ向けるよう回転したことが検出された場合と、前記第１軸用回転検出部の前記第２の回転検出スイッチにより前記表示ユニットが前記右方向に回転したことが検出された状態で、前記第２軸用回転検出部の前記回転検出センサにより前記表示ユニットが前記表示面を前記後側に向けるよう回転したことが検出された場合とで、前記表示ユニットの前記表示面に表示される画像の表示方向を切り替えるように制御することを特徴とする。
【発明の効果】
【００１３】
本発明によれば、表示ユニットを装置本体の収納位置から左方向及び右方向のいずれに回動操作した場合でも、表示ユニットを前側及び後側に向くように回転操作できると共に、表示ユニットの表示面側から見た場合に常に正立の画像を表示面に表示することができる。
【図面の簡単な説明】
【００１４】
【図１】本発明の撮像装置の第１の実施形態であるデジタルビデオカメラを前側（被写体側）から見た斜視図である。
【図２】図１に示すデジタルビデオカメラを後側（撮影者側）から見た斜視図である。
【図３】表示ユニットがカメラ本体の後側（撮影者側）から見て左方向に回動したときの表示ユニットと２軸ヒンジとを突出部の下面側から見た斜視図である。
【図４】表示ユニットを、収納位置からカメラ本体の後側から見て左（Ｌ）方向に回動操作した際のデジタルビデオカメラの斜視図である。
【図５】図４に示す状態から、表示ユニットを撮影者側へ略９０°回転操作した際のデジタルビデオカメラの斜視図である。
【図６】図４に示す状態から、表示ユニットを被写体側へ略９０°回転操作した際のデジタルビデオカメラの斜視図である。
【図７】表示ユニットを、収納位置からカメラ本体の後側から見て右（Ｒ）方向に回動操作した際のデジタルビデオカメラの斜視図である。
【図８】図７に示す状態から、表示ユニットを撮影者側へ略９０°回転操作した際のデジタルビデオカメラの斜視図である。
【図９】図７に示す状態から、表示ユニットを被写体側へ略９０°回転操作した際のデジタルビデオカメラの斜視図である。
【図１０】表示ユニットの表示面を目の高さに設定した説明図である。
【図１１】表示ユニットが収納位置にあるときの２軸ヒンジをカメラ本体の下側から見た拡大平面図である。
【図１２】表示ユニットを収納位置からカメラ本体の後側から見て左（Ｌ）方向に略９０°回動操作したときの２軸ヒンジを、カメラ本体の下側から見た拡大平面図である。
【図１３】表示ユニットを収納位置からカメラ本体の後側から見て右（Ｒ）方向に略９０°回動操作したときの２軸ヒンジを、カメラ本体の下側から見た拡大平面図である。
【図１４】図１１の部分拡大図である。
【図１５】表示ユニットの表示面を上向きにした状態（図１、図４、図７の状態）において、２軸ヒンジを軸受部の軸方向から見た拡大斜視図である。
【図１６】突起部と回転検出スイッチの可動部との位置関係を説明するための図である。
【図１７】表示ユニットの表示面に表示される画像の表示方向を切り替える制御系の一例を示すブロック図である。
【図１８】表示ユニットの表示面に表示される画像の表示方向の切り替え制御の一例を説明するためのフローチャート図である。
【図１９】本発明の撮像装置の第２の実施形態であるデジタルビデオカメラにおいて、表示ユニットがカメラ本体の後側（撮影者側）から見て左方向に回動したときの表示ユニットと２軸ヒンジとを突出部の下面側から見た斜視図である。
【図２０】表示ユニットが収納位置にあるときの２軸ヒンジを突出部の下面側から見た拡大平面図である。
【図２１】回転検出センサ及び透明フィルムを示す図である。
【図２２】図１９の状態で回転検出センサ及び透明フィルムを軸方向から見た図である。
【図２３】回転検出センサ及び透明フィルムを示す図である。
【図２４】図１９の状態で回転検出センサ及び透明フィルムを軸方向から見た図である。
【図２５】表示ユニットの表示面に表示される画像の表示方向を切り替える制御系の一例を示すブロック図である。
【図２６】表示ユニットの表示面に表示される画像の表示方向の切り替え制御の一例を説明するためのフローチャート図である。
【図２７】本発明の撮像装置の第２の実施形態であるデジタルビデオカメラにおいて、表示ユニットが収納位置にあるときの２軸ヒンジを突出部の下面側から見た拡大平面図である。
【図２８】回転検出センサ及び透明フィルムを示す図である。
【図２９】表示ユニットがカメラ本体の後側（撮影者側）から見て表示面を上向きにした状態で左方向に回動したときの回転検出センサ及び透明フィルムを軸方向から見た図である。
【図３０】表示ユニットの表示面に表示される画像の表示方向の切り替え制御の一例を説明するためのフローチャート図である。
【図３１】従来のデジタルビデオカメラの一例を示す斜視図である。
【図３２】図３１に示すデジタルビデオカメラの表示ユニットを開いた状態を示す斜視図である。
【図３３】図３２に示すデジタルビデオカメラの表示ユニットを撮影者側に向けた状態を示す斜視図である。
【発明を実施するための形態】
【００１５】
以下、本発明の実施形態を図面を参照して説明する。
【００１６】
（第１の実施形態）
図１は本発明の撮像装置の第１の実施形態であるデジタルビデオカメラを前側（被写体側）から見た斜視図、図２は図１に示すデジタルビデオカメラを後側（撮影者側）から見た斜視図である。
【００１７】
図１及び図２に示すように、本実施形態のデジタルビデオカメラ１０１は、カメラ本体１０２の前側にレンズ装置１０３が設けられ、上側には把手１０６が設けられている。把手１０６の後側には、電子ビューファインダ１０５が設けられ、把手１０６の前側には、台座部１１２が設けられ、台座部１１２の前側には、突出部１１３が設けられている。突出部１１３内には、不図示のマイクロホンが収納されている。ここで、カメラ本体１０２は、本発明の装置本体の一例に相当する。
【００１８】
カメラ本体１０２を後側から見て右側の側部には、グリップベルト２０３が取り付けられており、撮影時には、カメラ本体１０２とグリップベルト２０３との間に手を挿入してカメラ本体１０２を把持することができる。
【００１９】
また、台座部１１２の下面側には、表示ユニッ１０４が収納されている。表示ユニット１０４は、突出部１１３の下面側に設けられた２軸ヒンジ３０１を介してカメラ本体１０２の後側から見て左方向及び右方向に回動可能に支持されている。
【００２０】
図３は、表示ユニット１０４がカメラ本体１０２の後側（撮影者側）から見て左方向に回動したときの表示ユニット１０４と２軸ヒンジ３０１とを突出部１１３の下面側から見た斜視図である。なお、図３では、２軸ヒンジ３０１の外装カバーを取り外した状態を示す。
【００２１】
図３に示すように、２軸ヒンジ３０１は、突出部１１３の下面にベース部材３０５がねじ等により固定されており、ベース部材３０５には、軸受部３０８がその軸線３０３をカメラ本体１０２の上下方向に向けて設けられている。
【００２２】
軸受部３０８には、回動部３０６がカメラ本体１０２の後側から見て左（Ｌ）方向及び右（Ｒ）方向にそれぞれ略９０°の範囲で回動可能に支持されている。回動部３０６の先端には、カメラ本体１０２の左右方向を向く軸線３０４を有する軸受部３０９を介して表示ユニット１０４の基端部が回転可能に支持されている。ここで、軸受部３０８は、本発明の第１の軸受部に相当し、軸受部３０９は、本発明の第２の軸受部に相当する。
【００２３】
ここで、表示ユニット１０４は、台座部１１２の下面に収納された状態においては、表示面４０１が台座部１１２に対向して配置される。従って、表示ユニット１０４を、収納位置から軸受部３０８を介してカメラ本体１０２の後側から見て左（Ｌ）方向に回動操作すると、図３及び図４に示す状態となる。
【００２４】
この状態で、表示ユニット１０４は、軸受部３０９を介して前方向（図３の矢印Ｆ方向）に略９０°、後方向（図３の矢印Ｂ方向）に略１８０°、合計２７０°の角度範囲の回転が可能となっている。
【００２５】
軸受部３０９は、外周部が表示ユニット１０４と一体に軸線３０４を中心に回転するようになっている。表示ユニット１０４の軸受部３０９の軸線３０４まわりの回転は、軸受部３０９の外周部に設けられたセクタ形状の突起部３０９ａが回動部３０６に設けられたストッパ３０６ａに当接することで上述した角度範囲で制限される。
【００２６】
そして、図４に示す状態から、表示ユニット１０４を撮影者側へ略９０°回転操作すると、表示面４０１が撮影者側を向き、図５に示す通常の撮影状態となる。
【００２７】
この場合、図１０に示すように、撮影者の目から表示ユニット１０４の表示面４０１までの距離Ｄを最適に保つことができるため、楽な姿勢でカメラ本体１０２を把持しながら、表示面４０１を視認して大きく目線をそらすことなく、撮影を行うことができる。
【００２８】
この状態では、例えば、図１０に示すように、撮影者の頬を電子ビューファインダ１０５に当てるようにカメラ本体１０２を把持した場合、表示ユニット１０４の表示面４０１を撮影者の目線上に配置することができる。
【００２９】
また、図４に示す状態から、表示ユニット１０４を被写体側へ略９０°回転操作すると、表示面４０１が被写体側を向き、図６に示すように、撮影者自身の撮影が可能な状態となる。
【００３０】
ここで、本実施形態では、図５に示す状態で表示ユニット１０４の表示面４０１に画像が正立で表示される表示方向を第１の表示方向とし、また、図６に示す状態で表示ユニット１０４の表示面４０１に画像が正立で表示される表示方向を第２の表示方向とする。
【００３１】
一方、表示ユニット１０４を、収納位置から軸受部３０８を介してカメラ本体１０２の後側から見て右（Ｒ）方向に回動操作すると、図７に示す状態となる。
【００３２】
そして、図７に示す状態から、表示ユニット１０４を撮影者側へ略９０°回転操作すると、表示面４０１が撮影者側を向き、図８に示す通常の撮影状態となる。また、図７に示す状態から、表示ユニット１０４を被写体側へ略９０°回転操作すると、表示面４０１が被写体側を向き、図９に示すように、撮影者自身の撮影が可能な状態となる。
【００３３】
ここで、図８に示す状態で表示ユニット１０４の表示面４０１に画像が正立で表示される表示方向は第２の表示方向となり、図９に示す状態で表示ユニット１０４の表示面４０１に画像が正立で表示される表示方向は第１の表示方向となる。即ち、図５及び図６に示す状態と画像の表示方向の上下が逆転する。
【００３４】
図３に示すように、回動部３０６には、プリント基板３１４がねじ等により固定され、プリント基板３１４には、回動検出スイッチ３１０，３１１、及び回転検出スイッチ３１２，３１３が設けられている。
【００３５】
本実施形態では、回動検出スイッチ３１０，３１１を利用して、表示ユニット１０４の軸受部３０８の軸線３０３回りの回動方向を検出し、回転検出スイッチ３１２，３１３を利用して、表示ユニット１０４の軸受部３０９の軸線３０４回りの回転状態を検出する。
図１１は、表示ユニット１０４が収納位置にあるときの２軸ヒンジ３０１をカメラ本体１０２の下側から見た拡大平面図である。
【００３６】
図１１に示すように、表示ユニット１０４が収納位置にあるとき、回動検出スイッチ３１０，３１１は、被写体側から見て左右方向に互いに略１８０°離間して配置され、可動部３１０ａ，３１１ａが互いに軸受部３０８の外周部に対向している。
【００３７】
また、軸受部３０８の被写体側（図１１の下側）を向く周面側には、円弧部材３０８ａが固定配置されており、円弧部材３０８ａの周方向の両端は、それぞれ可動部３１０ａ，３１１ａに近接して配置されている。
【００３８】
このとき、回動検出スイッチ３１０，３１１の可動部３１０ａ，３１１ａはいずれも、円弧部材３０８ａの周方向の両端に対して非接触であり、回動検出スイッチ３１０，３１１による検出信号は、ＯＮ状態となる。
【００３９】
可動部３１０ａ，３１１ａは、荷重を受けて変位して変位量が一定量を超えると、その電気的な特性が変化する。また、可動部３１０ａ，３１１ａに加わっている荷重が除荷されると、可動部３１０ａ，３１１ａは荷重を受ける前の位置に戻り、再び電気的な特性が変化する。回動検出スイッチ３１０，３１１は、この電気的な特性の変化を利用して表示ユニット１０４の回動方向を検出する動作型の検出スイッチである。
【００４０】
回転検出スイッチ３１２，３１３についても、回動検出スイッチ３１０と同様の動作型検出スイッチであり、それぞれ可動部３１２ａ，３１３ａを有し、可動部３１２ａ，３１３ａの変位による電気的特性の変化を利用して表示ユニット１０４の回転状態を検出する。
【００４１】
図１２は、表示ユニット１０４を収納位置からカメラ本体１０２の後側から見て左（Ｌ）方向に略９０°回動操作したときの２軸ヒンジ３０１をカメラ本体１０２の下側から見た拡大平面図である。
【００４２】
図１２に示す状態では、回動検出スイッチ３１０の可動部３１０ａが円弧部材３０８ａの周方向の端部を乗り越えて円弧部材３０８ａの外周部によって押し下げられて変位し、回動検出スイッチ３１０の検出信号は、ＯＦＦ状態となる。
【００４３】
図１３は、表示ユニット１０４を収納位置からカメラ本体１０２の後側から見て右（Ｒ）方向に略９０°回動操作したときの２軸ヒンジ３０１をカメラ本体１０２の下側から見た拡大平面図である。
【００４４】
図１３に示す状態では、回動検出スイッチ３１１の可動部３１１ａが円弧部材３０８ａの周方向の端部を乗り越えて円弧部材３０８ａの外周部によって押し下げられて変位し、回動検出スイッチ３１１の検出信号は、ＯＦＦ状態となる。
【００４５】
図１４は、図１１の部分拡大図である。図１４に示すように、本実施形態では、表示ユニット１０４を収納位置から右（Ｒ）又は左（Ｌ）方向に例えば６．５°回動させたとき、円弧部材３０８ａの周方向端部に可動部３１０ａ又は可動部３１１ａが当接するようになっている。また、表示ユニット１０４を収納位置から右（Ｒ）又は左（Ｌ）方向に例えば１０°回動させたとき、回動検出スイッチ３１０，３１１の検出信号がＯＮからＯＦＦが切り替わるように設定されている。
【００４６】
図１５は、表示ユニット１０４の表示面４０１を上向きにした状態（図１、図４、図７の状態）において、２軸ヒンジ３０１を軸受部３０９の軸方向から見た拡大斜視図である。
【００４７】
図１５に示すように、回転検出スイッチ３１２，３１３は、軸受部３０９の外周部に設けられたセクタ形状の突起部３０９ａを周方向に挟む位置に配置されている。
【００４８】
回転検出スイッチ３１２の可動部３１２ａは、軸受部３０９の軸線３０４と平行に軸受部３０９の外周部に沿って延び、軸受部３０９の周方向に変位可能とされている。回転検出スイッチ３１３の可動部３１３ａは、先端部が軸受部３０９の外周部に対向して、軸受部３０９の周方向に変位可能とされている。ここで、回転検出スイッチ３１２は、本発明の第１の回転検出手段の一例に相当し、回転検出スイッチ３１３は、本発明の第２の回転検出手段の一例に相当する。
【００４９】
そして、図４の状態から、表示ユニット１０４を、図６に示すように、表示面４０１が被写体側を向くように前方向（図３及び図１６の矢印Ｆ方向）へ回転操作すると、突起部３０９ａにより回転検出スイッチ３１３の可動部３１３ａが押されて、ＯＮとなる。
【００５０】
また、図７の状態から、表示ユニット１０４を、図９に示すように、表示面４０１が被写体側を向くように前方向（図３及び図１６の矢印Ｂ方向）へ回転操作すると、突起部３０９ａにより回転検出スイッチ３１２の可動部３１２ａが押されて、ＯＮとなる。
【００５１】
図１６は、突起部３０９ａと回転検出スイッチ３１２，３１３の可動部３１２ａ，３１３ａとの位置関係を説明するための図である。
【００５２】
図１６に示すように、表示ユニット１０４が図４の状態から例えば矢印Ｆ方向へ２６．５°回転すると、突起部３０９ａが回転検出スイッチ３１３の可動部３１３ａに当接し、矢印Ｆ方向へ３０°回転した位置で回転検出スイッチ３１３がＯＮとなる。
【００５３】
このとき、表示ユニット１０４の被写体側への回転が検出され、表示ユニット１０４の表示面４０１に表示される画像の表示方向が第１の表示方向から第２の表示方向に切り替えられる。
【００５４】
一方、表示ユニット１０４が図７の状態から矢印Ｂ方向へ例えば２６．５°回転すると、突起部３０９ａが回転検出スイッチ３１２の可動部３１２ａに当接し、矢印Ｂ方向へ３０°回転した位置で回転検出スイッチ３１２がＯＮとなる。
【００５５】
このとき、表示ユニット１０４の被写体側への回転が検出され、表示ユニット１０４の表示面４０１に表示される画像の表示方向が第２の表示方向から第１の表示方向に切り替えられる。
【００５６】
図１７は、表示ユニット１０４の表示面４０１に表示される画像の表示方向を切り替える制御系の一例を示すブロック図である。
【００５７】
図１７において、レンズ装置１０３を介して撮像素子１３０１に結像した被写体の光束は、撮像素子１３０１で光電変換された後、表示制御装置１３０２で所定の画像処理が施されて、表示ユニット１０４の表示面４０１に画像として表示される。
【００５８】
中央制御装置１３０３には、回動検出スイッチ３１０，３１１、及び回転検出スイッチ３１２，３１３から検出信号（検出結果）が出力される。そして、表示制御装置１３０２は、中央制御装置１３０３からの指示に基づき、表示ユニット１０４の表示面４０１に表示される画像の表示方向の切り替え制御を行う。
【００５９】
図１８は、表示ユニット１０４の表示面４０１に表示される画像の表示方向の切り替え制御の一例を説明するためのフローチャート図である。
【００６０】
図１８において、ステップＳ１４０１では、中央制御装置１３０３は、電源スイッチがＯＮ操作されると、ステップＳ１４０２に進む。
【００６１】
ステップＳ１４０２では、中央制御装置１３０３は、回動検出スイッチ３１０からＯＦＦ信号が出力されたかを判定する。
【００６２】
そして、中央制御装置１３０３は、回動検出スイッチ３１０からＯＦＦ信号が出力された場合は、撮影者側から見て表示ユニット１０４が収納位置から左方向に回動操作されたと判断して、ステップＳ１４０４に進む。また、中央制御装置１３０３は、回動検出スイッチ３１０からＯＦＦ信号が出力されない場合は、ステップＳ１４０３に進む。
【００６３】
ステップＳ１４０３では、中央制御装置１３０３は、回動検出スイッチ３１１からＯＦＦ信号が出力されたかを判定する。
【００６４】
そして、中央制御装置１３０３は、回動検出スイッチ３１１からＯＦＦ信号が出力された場合は、撮影者側から見て表示ユニット１０４が収納位置から右方向に回動操作されたと判断して、ステップＳ１４０８に進む。また、中央制御装置１３０３は、回動検出スイッチ３１１からＯＦＦ信号が出力されない場合は、ステップＳ１４１３に進む。
【００６５】
ステップＳ１４０４では、中央制御装置１３０３は、回転検出スイッチ３１２からの検出信号を無視して、表示制御装置１３０２により、表示ユニット１０４の表示面４０１に第１の表示方向で画像を表示し、ステップＳ１４０５に進む。これにより、図４に示すように、表示ユニット１０４の表示面４０１を上向きにした場合、及び図５に示すように、表示ユニット１０４を撮影者側に回転させた場合に、表示面４０１に画像が正立で表示される。
【００６６】
ステップＳ１４０５では、中央制御装置１３０３は、回転検出スイッチ３１３からＯＮ信号が出力されたかを判定する。
【００６７】
そして、中央制御装置１３０３は、回転検出スイッチ３１３からＯＮ信号が出力された場合は、表示面４０１が被写体側を向く方向に表示ユニット１０４が回転操作されたと判断して、ステップＳ１４０７に進み、出力されない場合は、ステップＳ１４１３に進む。      
【００６８】
ステップＳ１４０７では、中央制御装置１３０３は、表示制御装置１３０２により、表示ユニット１０４の表示面４０１に第２の表示方向で画像を表示し、ステップＳ１４１３に進む。これにより、図６に示すように、表示ユニット１０４を被写体側に回転させた場合に、表示面４０１に画像が正立で表示される。
【００６９】
一方、ステップＳ１４０８では、中央制御装置１３０３は、回転検出スイッチ３１３からの検出信号を無視して、表示制御装置１３０２により、表示ユニット１０４の表示面４０１に第２の表示方向で画像を表示し、ステップＳ１４０９に進む。これにより、図７に示すように、表示ユニット１０４の表示面４０１を上向きにした場合、及び図８に示すように、表示ユニット１０４を撮影者側に回転させた場合に、表示面４０１に画像が正立で表示される。
【００７０】
ステップＳ１４０９では、中央制御装置１３０３は、回転検出スイッチ３１２からＯＮ信号が出力されたかを判定する。
【００７１】
そして、中央制御装置１３０３は、回転検出スイッチ３１２からＯＮ信号が出力された場合は、表示面４０１が被写体側を向く方向に表示ユニット１０４が回転操作されたと判断して、ステップＳ１４１０に進み、出力されない場合は、ステップＳ１４１３に進む。
【００７２】
ステップＳ１４１０では、中央制御装置１３０３は、表示制御装置１３０２により、表示ユニット１０４の表示面４０１に第１の表示方向で画像を表示し、ステップＳ１４１３に進む。これにより、図９に示すように、表示ユニット１０４を被写体側に回転させた場合に、表示面４０１に画像が正立で表示される。
【００７３】
ステップＳ１４１３では、中央制御装置１３０３は、電源スイッチがＯＦＦ操作されたかを判定し、ＯＦＦ操作された場合は、ステップＳ１４１４に進み、ＯＦＦ操作されない場合は、ステップＳ１４０２に戻る。
【００７４】
ステップＳ１４１４では、中央制御装置１３０３は、電源をＯＦＦにして処理を終了する。
【００７５】
以上説明したように、本実施形態では、表示ユニット１０４を撮影者側から見て左方向及び右方向に回動操作した状態で、表示ユニット１０４の同等の回転操作感を得ることができると共に、撮影者側から見て常に正立の画像を表示面４０１に表示することができる。
【００７６】
（第２の実施形態）
次に、図１９〜図２６を参照して、本発明の撮像装置の第２の実施形態であるデジタタルビデオカメラについて説明する。なお、上記第１の実施形態に対して重複又は相当する部分については、図及び符号を流用するとともに、詳細な説明を省略する。
【００７７】
図１９は、表示ユニット１０４がカメラ本体１０２の後側（撮影者側）から見て左方向に回動したときの表示ユニット１０４と２軸ヒンジ３０１とを突出部１１３の下面側から見た斜視図である。図２０は、表示ユニット１０４が収納位置にあるときの２軸ヒンジ３０１を突出部１１３の下面側から見た拡大平面図である。なお、図１９及び図２０では、２軸ヒンジ３０１の外装カバーを取り外した状態を示す。
【００７８】
図１９及び図２０に示すように、本実施形態のデジタルビデオカメラは、フレキシブル基板３１４に実装され回転検出センサ１５１１，１５１２により、軸受部３０９と一体に回転する透明フィルム１５０１，１５０２の着色部１７０３，１６０３を検出する。
【００７９】
そして、回転検出センサ１５１１，１５１２からの出力信号を基に、軸受部３０９の軸線３０４まわりの表示ユニット１０４の回転状態を判定する。回転検出センサ１５１１，１５１２は、本実施形態では、フォトインタラプタなどの透過型の光センサを用い、透明フィルム１５０１，１５０２は、軸受部３０９の外周部に軸方向に互いに離間して略同心に固定されている。
【００８０】
図２１は回転検出センサ１５１２及び透明フィルム１５０２を示す図、図２２は図１９の状態で回転検出センサ１５１２及び透明フィルム１５０２を軸方向から見た図である。
【００８１】
図２１及び図２２に示すように、回転検出センサ１５１２は、発光部１６０１、受光部１６０２、及び検出部１６０４を備え、検出部１６０４は、発光部１６０１から照射された光のうち受光部１６０２に達した光量を計測する。
【００８２】
また、図２２に示すように、透明フィルム１５０２の着色部１６０３は、例えば黒で着色されている。そして、軸受部３０９の矢印Ｆ方向の回転に伴って透明フィルム１５０２が回転して着色部１６０３が回転検出センサ１５１２の検出部１６０４を通過する際、受光部１６０２で受光する光量が変化し、回転検出センサ１５１２がＯＮ信号を出力する。
【００８３】
着色部１６０３は、検出部１６０４から矢印Ｂ方向に３０°〜１００°の７０°の範囲に配置されている。これは、表示ユニット１０４が矢印Ｆ方向へ９０°回転可能であるため、９０°を超える範囲を着色して、着色ずれなどの不良によって９０°以前に透明フィルム１５０２の着色部１６０３以外の透明部が再び検出部１６０４を通過することを防ぐためである。
【００８４】
図２３は回転検出センサ１５１１及び透明フィルム１５０１を示す図、図２４は図１９の状態で回転検出センサ１５１１及び透明フィルム１５０１を軸方向から見た図である。
【００８５】
図２３及び図２４に示すように、回転検出センサ１５１１も発光部１７０１、受光部１７０２、及び検出部１７０４を備え、検出部１７０４は、発光部１７０１から照射された光のうち受光部１７０２に達した光量を計測する。
【００８６】
また、図２４に示すように、透明フィルム１５０１の着色部１７０３も、着色部１６０３と同様に、黒で着色されている。そして、軸受部３０９の矢印Ｂ方向の回転に伴って透明フィルム１５０１が回転して着色部１７０３が回転検出センサ１５１１の検出部１７０４を通過する際に、受光部１７０２で受光する光量が変化し、回転検出センサ１５１１がＯＮ信号を出力する。
【００８７】
着色部１７０３は、検出部１７０４から矢印Ｆ方向に３０°〜１９０°の１３０°の範囲に配置されている。これは、表示ユニット１０４が矢印Ｂ方向へ１８０°回転可能であるため、１８０°を超える範囲を着色し、着色ずれなどの不良によって１８０°以前に透明フィルム１５０１の着色部１７０３以外の透明部が再び検出部１７０４を通過することを防ぐためである。
【００８８】
なお、図４に示すように、表示ユニット１０４が撮影者から見て左側に回転した場合には、矢印Ｆ方向が表示面４０１が被写体側を向く回転方向となる。一方、図７に示すように、表示ユニット１０４が撮影者から見て右側に回転した場合には、矢印Ｂ方向が表示面４０１が被写体側を向く回転方向となる。
【００８９】
図２５は、表示ユニット１０４の表示面４０１に表示される画像の表示方向を切り替える制御系の一例を示すブロック図である。
【００９０】
図２５において、レンズ装置１０３を介して撮像素子１３０１に結像した被写体の光束は、撮像素子１３０１で光電変換された後、表示制御装置１３０２で所定の画像処理が施されて、表示ユニット１０４の表示面４０１に画像として表示される。
【００９１】
中央制御装置１３０３には、回動検出スイッチ３１０，３１１、及び回転検出センサ１５１１，１５１２から検出信号が出力される。そして、表示制御装置１３０２は、中央制御装置１３０３からの指示に基づき、表示ユニット１０４の表示面４０１に表示される画像の表示方向の切り替え制御を行う。
【００９２】
図２６は、表示ユニット１０４の表示面４０１に表示される画像の表示方向の切り替え制御の一例を説明するためのフローチャート図である。なお、図２６において、ステップＳ１４０１〜ステップＳ１４０３、ステップＳ１４０７、ステップＳ１４１０、ステップＳ１４１３、ステップＳ１４１４は、上記第１の実施形態（図１８）と同様であるため、説明を省略する。
【００９３】
図２６において、ステップＳ１９０４では、中央制御装置１３０３は、回転検出センサ１５１１からの検出信号を無視して、表示制御装置１３０２により、表示ユニット１０４の表示面４０１に第１の表示方向で画像を表示し、ステップＳ１９０５に進む。これにより、図４に示すように、表示ユニット１０４の表示面４０１を上向きにした場合、及び図５に示すように、表示ユニット１０４を撮影者側に回転させた場合に、表示面４０１に画像が正立で表示される。
【００９４】
ステップＳ１９０５では、中央制御装置１３０３は、回転検出センサ１５１２により着色部１６０３が検出されてＯＮ信号が出力されたかを判定する。
【００９５】
そして、中央制御装置１３０３は、回転検出センサ１５１２からＯＮ信号が出力された場合は、表示面４０１が被写体側を向く方向に表示ユニット１０４が回転操作されたと判断して、ステップＳ１４０７に進み、出力されない場合は、ステップＳ１４１３に進む。
【００９６】
なお、ステップＳ１４０７では、上述したように、中央制御装置１３０３は、表示制御装置１３０２により、表示ユニット１０４の表示面４０１に第２の表示方向で画像を表示し、ステップＳ１４１３に進む。これにより、図６に示すように、表示ユニット１０４を被写体側に回転させた場合に、表示面４０１に画像が正立で表示される。
【００９７】
一方、ステップＳ１９０８では、中央制御装置１３０３は、回転検出センサ１５１２からの検出信号を無視して、表示制御装置１３０２により、表示ユニット１０４の表示面４０１に第２の表示方向で画像を表示し、ステップＳ１９０９に進む。これにより、図７に示すように、表示ユニット１０４の表示面４０１を上向きにした場合、及び図８に示すように、表示ユニット１０４を撮影者側に回転させた場合に、表示面４０１に画像が正立で表示される。
【００９８】
ステップＳ１９０９では、中央制御装置１３０３は、回転検出センサ１５１１により着色部１７０３が検出されてＯＮ信号が出力されたかを判定する。
【００９９】
そして、中央制御装置１３０３は、回転検出センサ１５１１からＯＮ信号が出力された場合は、表示面４０１が被写体側を向く方向に表示ユニット１０４が回転操作されたと判断して、ステップＳ１４１０に進み、出力されない場合は、ステップＳ１４１３に進む。
【０１００】
なお、ステップＳ１４１０では、上述したように、中央制御装置１３０３は、表示制御装置１３０２により、表示ユニット１０４の表示面４０１に第１の表示方向で画像を表示し、ステップＳ１４１３に進む。これにより、図９に示すように、表示ユニット１０４を被写体側に回転させた場合に、表示面４０１に画像が正立で表示される。その他の構成、及び作用効果は、上記第１の実施形態と同様である。
【０１０１】
（第３の実施形態）
次に、図２７〜図３０を参照して、本発明の撮像装置の第３の実施形態であるデジタタルビデオカメラについて説明する。なお、上記第１の実施形態に対して重複又は相当する部分については、図及び符号を流用するとともに、詳細な説明を省略する。
【０１０２】
図２７は表示ユニット１０４が収納位置にあるときの２軸ヒンジ３０１を突出部１１３の下面側から見た拡大平面図、図２８は回転検出センサ２０１１及び透明フィルム２００１を示す図である。図２９は、表示ユニット１０４がカメラ本体１０２の後側（撮影者側）から見て表示面４０１を上向きにして左方向に回動したときの回転検出センサ２０１１及び透明フィルム２００１を軸方向から見た図である。なお、図２７では、２軸ヒンジ３０１の外装カバーを取り外した状態を示す。
【０１０３】
図２７に示すように、本実施形態のデジタルビデオカメラは、フレキシブル基板３１４に実装され回転検出センサ２０１１により、軸受部３０９と一体に回転する透明フィルム２００１の着色部２１０４，２１０５（図２９参照）を検出する。ここで、着色部２１０４，２１０５は、図２９に示すように、互いに異なる濃度で着色されている。
【０１０４】
そして、回転検出センサ２０１１からの出力信号を基に、軸受部３０９の軸線３０４まわりの表示ユニット１０４の回転状態を判定する。回転検出センサ２０１１は、本実施形態では、フォトインタラプタなどの透過型の光センサを用い、透明フィルム２００１は、軸受部３０９の外周部に略同心に固定されている。
【０１０５】
図２８及び図２９に示すように、回転検出センサ２０１１は、発光部２１０１、受光部２１０２、及び検出部２１０３を備え、検出部１７０４は、発光部２１０１から照射された光のうち受光部２１０２に達した光量の変化を連続的に検出することが可能である。これにより、透明フィルム２００１の透明部、着色部２１０４、及び着色部２１０５それぞれの光の透過率の違いを認識することができる。
【０１０６】
また、図２９に示すように、着色部２１０４は、上記第２の実施形態と同様の理由で、検出部２１０３から矢印Ｂ方向に３０度〜１００°の７０°の範囲に配置されている。
着色部２１０５についても、上記第２の実施形態と同様の理由で、検出部２１０３から矢印Ｆ方向に３０°〜１９０°の１３０°の範囲に配置されている。
【０１０７】
図３０は、表示ユニット１０４の表示面４０１に表示される画像の表示方向の切り替え制御の一例を説明するためのフローチャート図である。なお、図３０において、ステップＳ１４０１〜ステップＳ１４０３、ステップＳ１４０７、ステップＳ１４１０、ステップＳ１４１３、ステップＳ１４１４は、上記第１の実施形態（図１８）と同様であるため、説明を省略する。
【０１０８】
ステップＳ２２０４では、中央制御装置１３０３は、回転検出センサ２０１１による着色部２１０５の検出信号を無視して、表示制御装置１３０２により、表示ユニット１０４の表示面４０１に第１の表示方向で画像を表示し、ステップＳ２２０５に進む。これにより、図４に示すように、表示ユニット１０４の表示面４０１を上向きにした場合、及び図５に示すように、表示ユニット１０４を撮影者側に回転させた場合に、表示面４０１に画像が正立で表示される。
【０１０９】
ステップＳ２２０５では、中央制御装置１３０３は、回転検出センサ２０１１から着色部２１０４の検出信号が出力されたかを判定する。
【０１１０】
そして、中央制御装置１３０３は、回転検出センサ２０１１から着色部２１０４の検出信号が出力された場合は、表示面４０１が被写体側を向く方向に表示ユニット１０４が回転操作されたと判断して、ステップＳ１４０７に進む。また、中央制御装置１３０３は、回転検出センサ２０１１から着色部２１０４の検出信号が出力されない場合は、ステップＳ１４１３に進む。
【０１１１】
なお、ステップＳ１４０７では、上述したように、中央制御装置１３０３は、表示制御装置１３０２により、表示ユニット１０４の表示面４０１に第２の表示方向で画像を表示し、ステップＳ１４１３に進む。これにより、図６に示すように、表示ユニット１０４を被写体側に回転させた場合に、表示面４０１に画像が正立で表示される。
【０１１２】
一方、ステップＳ２２０８では、中央制御装置１３０３は、回転検出センサ２０１１による着色部２１０４の検出信号を無視して、表示制御装置１３０２により、表示ユニット１０４の表示面４０１に第２の表示方向で画像を表示し、ステップＳ２２０９に進む。これにより、図７に示すように、表示ユニット１０４の表示面４０１を上向きにした場合、及び図８に示すように、表示ユニット１０４を撮影者側に回転させた場合に、表示面４０１に画像が正立で表示される。
【０１１３】
ステップＳ２２０９では、中央制御装置１３０３は、回転検出センサ２０１１から着色部２１０５の検出信号が出力されたかを判定する。
【０１１４】
そして、中央制御装置１３０３は、回転検出センサ２０１１から着色部２１０５の検出信号が出力された場合は、表示面４０１が被写体側を向く方向に表示ユニット１０４が回転操作されたと判断して、ステップＳ１４１０に進む。また、中央制御装置１３０３は、回転検出センサ２０１１から着色部２１０５の検出信号が出力されない場合は、ステップＳ１４１３に進む。
【０１１５】
なお、ステップＳ１４１０では、上述したように、中央制御装置１３０３は、表示制御装置１３０２により、表示ユニット１０４の表示面４０１に第１の表示方向で画像を表示し、ステップＳ１４１３に進む。これにより、図９に示すように、表示ユニット１０４を被写体側に回転させた場合に、表示面４０１に画像が正立で表示される。その他の構成、及び作用効果は、上記第１の実施形態と同様である。
【０１１６】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【０１１７】
１０１  デジタルビデオカメラ
１０２  カメラ本体
１０４  表示ユニット
３０１  ２軸ヒンジ
３０８  軸受部
３０９  軸受部
３１０，３１１  回動検出スイッチ
３１２，３１３  回転検出スイッチ
１３０２  表示制御装置
１３０３  中央制御装置
【図１】
0005709501.tif 000002
【図２】
0005709501.tif 000003
【図３】
0005709501.tif 000004
【図４】
0005709501.tif 000005
【図５】
0005709501.tif 000006
【図６】
0005709501.tif 000007
【図７】
0005709501.tif 000008
【図８】
0005709501.tif 000009
【図９】
0005709501.tif 000010
【図１０】
0005709501.tif 000011
【図１１】
0005709501.tif 000012
【図１２】
0005709501.tif 000013
【図１３】
0005709501.tif 000014
【図１４】
0005709501.tif 000015
【図１５】
0005709501.tif 000016
【図１６】
0005709501.tif 000017
【図１７】
0005709501.tif 000018
【図１８】
0005709501.tif 000019
【図１９】
0005709501.tif 000020
【図２０】
0005709501.tif 000021
【図２１】
0005709501.tif 000022
【図２２】
0005709501.tif 000023
【図２３】
0005709501.tif 000024
【図２４】
0005709501.tif 000025
【図２５】
0005709501.tif 000026
【図２６】
0005709501.tif 000027
【図２７】
0005709501.tif 000028
【図２８】
0005709501.tif 000029
【図２９】
0005709501.tif 000030
【図３０】
0005709501.tif 000031
【図３１】
0005709501.tif 000032
【図３２】
0005709501.tif 000033
【図３３】
0005709501.tif 000034